(57)【要約】  本発明の実施例はデータ再送制御方法及び関連製品を開示する。前記方法は、端末が第一のダウンリンクデータを受信し、前記第一のダウンリンクデータが予め設定された伝送ブロックのＮ個のコードブロックグループ内のＰ個のコードブロックグループを含むことと、前記端末が前記Ｐ個のコードブロックグループに対して復号操作を実行し、Ｐビットのフィードバック情報を取得し、各ビットのフィードバック情報が、対応するコードブロックが再送される必要があるか否かを示すことに用いられることと、前記端末が情報を送信し、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれることとを含む。本発明の実施例は、無線通信システムのサービスデータブロックにおけるコードブロックグループの再送の柔軟性を向上させることに有利である。
2020522154.tif 000002
【特許請求の範囲】
【請求項１】
データ再送制御方法であって、
端末が、第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮより小さいことと、
前記端末が、前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられることと、
前記端末が、情報を送信し、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下であることとを含む、前記データ再送制御方法。
【請求項２】
前記端末が情報を送信した後、前記方法はさらに、
前記端末が、前記Ｍ個のコードブロックグループを受信することを含むことを特徴とする
請求項１に記載の方法。
【請求項３】
前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含むことを特徴とする
請求項１又は２に記載の方法。
【請求項４】
前記端末が情報を送信することは、
前記端末が、第一の情報を送信し、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報であり、前記第一の情報が、前記Ｎ個のコードブロックグループを再送するようにネットワーク側装置に指示することに用いられることを含み、
前記端末が前記Ｍ個のコードブロックグループを受信することは、
前記端末が、第二のダウンリンクデータを受信し、前記第二のダウンリンクデータに前記Ｎ個のコードブロックグループが含まれることを含むことを特徴とする
請求項１−３のいずれか一項に記載の方法。
【請求項５】
前記端末が情報を送信することは、
前記端末が、第二の情報を送信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であり、前記第二の情報が、前記Ｐビットのフィードバック情報に示される、再送する必要があるコードブロックグループを再送するようにネットワーク側装置に指示することに用いられることを含み、
前記端末が前記Ｍ個のコードブロックグループを受信することは、
前記端末が、第三のダウンリンクデータを受信し、前記第三のダウンリンクデータに、前記Ｐビットのフィードバック情報に示される、再送する必要があるコードブロックグループが含まれることを含むことを特徴とする
請求項１−３のいずれか一項に記載の方法。
【請求項６】
前記端末が情報を送信することは、
前記端末が、第三の情報を送信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であり、前記第三の情報が、前記取得されたＰビットのフィードバック情報に示される、再送する必要があるコードブロックグループを再送するようにネットワーク側装置に指示することに用いられることを含み、
前記端末が前記Ｍ個のコードブロックグループを受信することは、
前記端末が、第四のダウンリンクデータを受信し、前記第四のダウンリンクデータに、前記Ｐビットのフィードバック情報に示される、再送する必要があるコードブロックグループが含まれることを含むことを特徴とする
請求項１−３のいずれか一項に記載の方法。
【請求項７】
前記端末が情報を送信することは、
前記端末が、第四の情報を送信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含み、前記第四の情報が、前記Ｐビットのフィードバック情報に示される、再送する必要があるコードブロックグループ及び／又は前記Ｎビットのフィードバック情報内の、前記第三のプリセット情報の所在ビットに対応するコードブロックグループを再送するようにネットワーク側装置に指示することに用いられることを含み、
前記端末が前記Ｍ個のコードブロックグループを受信することは、
前記端末が、第五のダウンリンクデータを受信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれることを含むことを特徴とする
請求項１−３のいずれか一項に記載の方法。
【請求項８】
データ再送制御方法であって、
ネットワーク側装置が、第一のダウンリンクデータを送信し、前記第一のダウンリンクデータが予め設定された伝送ブロックのＮ個のコードブロックグループ内のＰ個のコードブロックグループを含み、Ｐ、Ｎが正整数であり、ＰがＮ以下であることと、
前記ネットワーク側装置が、情報を受信し、前記情報が、Ｍ個のコードブロックグループを再送するように前記ネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下であり、前記Ｐビットのフィードバック情報が、前記Ｐ個のコードブロックグループに対して端末によって復号操作を実行して取得され、各ビットのフィードバック情報が、対応するコードブロックが再送される必要があるか否かを示すことに用いられることとを含む、前記データ再送制御方法。
【請求項９】
前記ネットワーク側装置が情報を受信した後、前記方法はさらに、
前記ネットワーク側装置が、前記Ｍ個のコードブロックグループを送信することを含むことを特徴とする
請求項８に記載の方法。
【請求項１０】
前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含むことを特徴とする
請求項８又は９に記載の方法。
【請求項１１】
前記ネットワーク側装置が情報を受信することは、
前記ネットワーク側装置が、第一の情報を受信し、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報であることを含み、
前記ネットワーク側装置が前記Ｍ個のコードブロックグループを送信することは、
前記ネットワーク側装置が、第二のダウンリンクデータを送信し、前記第二のダウンリンクデータに前記Ｎ個のコードブロックグループが含まれることを含むことを特徴とする
請求項８−１０のいずれか一項に記載の方法。
【請求項１２】
前記ネットワーク側装置が情報を受信することは、
前記ネットワーク側装置が、第二の情報を受信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であることを含み、
前記ネットワーク側装置が前記Ｍ個のコードブロックグループを送信することは、
前記ネットワーク側装置が、第三のダウンリンクデータを送信し、前記第三のダウンリンクデータに、前記Ｐビットのフィードバック情報に示される、再送する必要があるコードブロックグループが含まれることを含むことを特徴とする
請求項８−１０のいずれか一項に記載の方法。
【請求項１３】
前記ネットワーク側装置が情報を受信することは、
前記ネットワーク側装置が、第三の情報を受信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であることを含み、
前記ネットワーク側装置が前記Ｍ個のコードブロックグループを送信することは、
前記ネットワーク側装置が、第四のダウンリンクデータを送信し、前記第四のダウンリンクデータに、前記取得されたＰビットのフィードバック情報に示される、再送する必要があるコードブロックグループが含まれることを含むことを特徴とする
請求項８−１０のいずれか一項に記載の方法。
【請求項１４】
前記ネットワーク側装置が情報を受信することは、
前記ネットワーク側装置が、第四の情報を受信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含むことを含み、
前記ネットワーク側装置が前記Ｍ個のコードブロックグループを送信することは、
前記ネットワーク側装置が、第五のダウンリンクデータを送信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれることを含むことを特徴とする
請求項８−１０のいずれか一項に記載の方法。
【請求項１５】
端末であって、処理ユニットと通信ユニットを備え、
前記処理ユニットは、前記通信ユニットを介して第一のダウンリンクデータを受信するように構成され、前記第一のダウンリンクデータが予め設定された伝送ブロックのＮ個のコードブロックグループ内のＰ個のコードブロックグループを含み、Ｐ、Ｎが正整数であり、ＰがＮ以下であり、
前記処理ユニットは、さらに前記Ｐ個のコードブロックグループに対して復号操作を実行し、Ｐビットのフィードバック情報を取得するように構成され、各ビットのフィードバック情報が、対応するコードブロックグループが再送される必要があるか否かを示すことに用いられ、
前記処理ユニットは、さらに前記通信ユニットを介して情報を送信するように構成され、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下である、前記端末。
【請求項１６】
ネットワーク側装置であって、処理ユニットと通信ユニットを備え、
前記処理ユニットは、前記通信ユニットを介して第一のダウンリンクデータを送信するように構成され、前記第一のダウンリンクデータが予め設定された伝送ブロックのＮ個のコードブロックグループ内のＰ個のコードブロックグループを含み、Ｐ、Ｎが正整数であり、ＰがＮ以下であり、
前記処理ユニットは、さらに前記通信ユニットを介して情報を受信するように構成され、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下である、前記ネットワーク側装置。
【請求項１７】
端末であって、一つ又は複数のプロセッサ、メモリ、通信インタフェース、及び一つ又は複数のプログラムを備え、前記一つ又は複数のプログラムが前記メモリに記憶され、前記一つ又は複数のプロセッサによって実行されるように構成され、前記プログラムが請求項１−７のいずれか一項に記載される方法のステップを実行するための命令を含む、前記端末。
【請求項１８】
ネットワーク側装置であって、一つ又は複数のプロセッサ、メモリ、送受信機、及び一つ又は複数のプログラムを備え、前記一つ又は複数のプログラムが前記メモリに記憶され、前記一つ又は複数のプロセッサによって実行されるように構成され、前記プログラムが請求項８−１４のいずれか一項に記載される方法のステップを実行するための命令を含む、前記ネットワーク側装置。
【請求項１９】
コンピュータ可読記憶媒体であって、電子データ交換のためのコンピュータプログラムを記憶し、ここで、前記コンピュータプログラムによりコンピュータが請求項１−７のいずれか一項に記載される方法のステップを実行する、前記コンピュータ可読記憶媒体。
【請求項２０】
コンピュータ可読記憶媒体であって、電子データ交換のためのコンピュータプログラムを記憶し、ここで、前記コンピュータプログラムによりコンピュータが請求項８−１４のいずれか一項に記載される方法のステップを実行する、前記コンピュータ可読記憶媒体。
【請求項２１】
コンピュータプログラム製品であって、コンピュータプログラムを記憶する非一時的コンピュータ可読記憶媒体を備え、前記コンピュータプログラムがコンピュータに請求項１−７のいずれか一項に記載の方法を実行させるように動作されてもよい、前記コンピュータプログラム製品。
【請求項２２】
コンピュータプログラム製品であって、コンピュータプログラムを記憶する非一時的コンピュータ可読記憶媒体を備え、前記コンピュータプログラムがコンピュータに請求項８−１４のいずれか一項に記載の方法を実行させるように動作されてもよい、前記コンピュータプログラム製品。
【発明の詳細な説明】
【技術分野】
【０００１】
本発明は通信技術分野に関し、特にデータ再送制御方法及び関連製品に関する。
【背景技術】
【０００２】
第５世代の移動通信技術（５Ｇ：５ｔｈ−Ｇｅｎｅｒａｔｉｏｎ）の新しいエアインタフェース（ＮＲ：Ｎｅｗ  Ｒａｄｉｏ）は、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）組織で新たに提案されたテーマである。次世代の５Ｇ技術の討論が徐々に深まるにつれて、通信システムが後方互換性を有するため、後に開発された新しい技術は以前に標準化された技術と互換する傾向があり、一方、第４世代の移動通信技術（４Ｇ：ｔｈｅ  ４ｔｈ  Ｇｅｎｅｒａｔｉｏｎ  ｍｏｂｉｌｅ  ｃｏｍｍｕｎｉｃａｔｉｏｎ  ）である長期進化技術（ＬＴＥ：Ｌｏｎｇ  Ｔｅｒｍ  Ｅｖｏｌｕｔｉｏｎ）は既に多くの既存の設計が存在し、したがって、互換性を達成するために、必ず５Ｇの多くの柔軟性を犠牲にし、それによって性能が低下する。したがって、現在、３ＧＰＰ組織で２つの方向に並行して研究し、ここで、後方互換性を考慮しない技術討論グループは、５Ｇ  ＮＲと呼ばれている。
【０００３】
ＬＴＥシステムでは、自動再送リクエスト（ＡＲＱ：Ａｕｔｏｍａｔｉｃ  Ｒｅｐｅａｔ  ＲｅＱｕｅｓｔ）プロトコルは、送信側が一つのデータパケットを送信するたびに一時的に停止し、受信側からの肯定応答情報の受信を待つことを意味する。データパケットが受信側に到着する時に、それに対してエラーを検出し、受信が正しいである場合、肯定応答（ＡＣＫ）信号を返信し、受信が正しくない場合、否定応答（ＮＡＣＫ）信号を返信する。送信側がＡＣＫ信号を受信する場合、新しいデータを送信し、そうでない場合、前回の伝送されるデータパケットを再送する。情報確認を待つ期間に、チャネルがアイドル状態であり、いかなるデータを送信しない。このような方法は、送受信の双方が同時に同じデータパケットのみに対して操作するため、実現が簡単であり、対応するシグナリングオーバーヘッドが小さく、受信側のバッファ容量要求が低い。
【０００４】
５Ｇ  ＮＲシステムでは、高度モバイルブロードバンド（ｅＭＢＢ）サービスの一つの伝送ブロック内の異なるコードブロックに対するＡＣＫ／ＮＡＣＫをフィードバックする考案がされており、そのため、将来の通信システムのデータ伝送に適応するために、より柔軟なコードブロック再送メカニズムが必要である。
【発明の概要】
【発明が解決しようとする課題】
【０００５】
本発明の実施例は、将来の無線通信システムのサービスデータ伝送ブロック内のコードブロックグループの再送の柔軟性を向上させるために、データ再送制御方法及び関連製品を提供する。
【課題を解決するための手段】
【０００６】
第一の態様では、本発明の実施例に係るデータ再送制御方法は、
端末が第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮ以下であることと、
前記端末が前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられることと、
前記端末が情報を送信し、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下であることとを含む。
【０００７】
これから分かるように、本発明の実施例では、端末とネットワーク側装置がＮ個のコードブロックグループを伝送し、端末はＰ個のコードブロックグループを受信し、復号してＰビットのフィードバック情報を取得し、端末は情報を送信し、該情報がＭ個のコードブロックグループを伝送することに用いられ、該Ｍ個のコードブロックグループがＮ個のコードブロックグループ内の再送する必要があるコードブロックグループを含み、これにより、端末が予め設定された伝送ブロック内のコードブロックグループを効果的に受信又は記憶しない場合でネットワーク側装置が再送しなくてコードブロックグループが失われることを回避することができ、無線通信システムのコードブロックグループの再送の柔軟性を向上させることに有利である。
【０００８】
一つの可能な設計では、前記端末が情報を送信した後、前記方法はさらに、
前記端末が前記Ｍ個のコードブロックグループを受信することを含む。
【０００９】
一つの可能な設計では、前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含む。
【００１０】
これから分かるように、本設計では、端末とネットワーク側装置がＮ個のコードブロックグループを伝送し、端末はＰ個のコードブロックグループを受信し、復号してＰビットのフィードバック情報を取得し、端末は情報を送信し、該情報がＭ個のコードブロックグループを伝送することに用いられ、該Ｍ個のコードブロックグループがＰビットのフィードバック情報に示される、再送する必要があるコードブロックグループ及び／又は前記Ｎ個のコードブロックグループ内の前記Ｐ個のコードブロックグループ以外のコードブロックグループを含み、これにより、端末が予め設定された伝送ブロック内のコードブロックグループを効果的に受信又は記憶しない場合でネットワーク側装置が再送しなくてコードブロックグループが失われることを回避することができ、無線通信システムのコードブロックグループの再送の柔軟性を向上させることに有利である。
【００１１】
一つの可能な設計では、前記端末が情報を送信することは、
前記端末が第一の情報を送信し、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報であり、前記第一の情報が、前記Ｎ個のコードブロックグループを再送するようにネットワーク側装置に指示することに用いられることを含み、
前記端末が前記Ｍ個のコードブロックグループを受信することは、
前記端末が第二のダウンリンクデータを受信し、前記第二のダウンリンクデータに前記Ｎ個のコードブロックグループが含まれることを含む。
【００１２】
これから分かるように、本設計では、端末とネットワーク側装置がＮ個のコードブロックグループを伝送し、端末はＰ個のコードブロックグループを受信し、復号してＰビットのフィードバック情報を取得し、端末は第一の情報を送信し、第一の情報がＮ個のコードブロックグループを再送するようにネットワーク側装置に指示することに用いられ、これにより、端末が予め設定された伝送ブロック内のコードブロックグループを効果的に受信又は記憶しない場合でネットワーク側装置がコードブロックグループを再送しなくてコードブロックグループが失われることを回避することができ、第一の情報がＰ＋１ビットのフィードバック情報を含み、Ｐ＋１ビットのフィードバック情報内の第一のプリセットビットのフィードバック情報が第一のプリセット値であり、Ｐ＋１ビットのフィードバック情報内の、第一のプリセット値以外のフィードバック情報が第一のプリセット情報であり、それによって無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【００１３】
一つの可能な設計では、前記端末が情報を送信することは、
前記端末が第二の情報を送信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であり、前記第二の情報が、前記Ｐビットのフィードバック情報に示される、再送する必要があるコードブロックグループを再送するようにネットワーク側装置に指示することに用いられることを含み、
前記端末が前記Ｍ個のコードブロックグループを受信することは、
前記端末が第三のダウンリンクデータを受信し、前記第三のダウンリンクデータに、前記Ｐビットのフィードバック情報に示される、再送する必要があるコードブロックグループが含まれることを含む。
【００１４】
これから分かるように、本設計では、端末とネットワーク側装置がＮ個のコードブロックグループを伝送し、端末はＰ個のコードブロックグループを受信し、復号してＰビットのフィードバック情報を取得し、端末は第二の情報を送信し、該第二の情報がＰビットのフィードバック情報に示される、再送する必要があるコードブロックグループを再送することに用いられ、これにより、端末が、再送する必要があるコードブロックグループを効果的に記憶しない場合でネットワーク側装置がコードブロックグループを再送しなくてコードブロックグループが失われることを回避し、第二の情報のビット長がＰ＋１ビットであるため、無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【００１５】
一つの可能な設計では、前記端末が情報を送信することは、
前記端末が第三の情報を送信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であり、前記第三の情報が、前記取得されたＰビットのフィードバック情報に示される、再送する必要があるコードブロックグループを再送するようにネットワーク側装置に指示することに用いられることを含み、
前記端が前記Ｍ個のコードブロックグループを受信することは、
前記端末が第四のダウンリンクデータを受信し、前記第四のダウンリンクデータに、前記Ｐビットのフィードバック情報に示される、再送する必要があるコードブロックグループが含まれることを含む。
【００１６】
これから分かるように、本設計では、端末とネットワーク側装置がＮ個のコードブロックグループを伝送し、端末はＰ個のコードブロックグループを受信し、復号してＰビットのフィードバック情報を取得し、端末は第三の情報を送信し、該第三の情報がＰビットのフィードバック情報に示される、再送する必要があるコードブロックグループを再送することに用いられ、これにより、端末が、再送する必要があるコードブロックグループを効果的に記憶しない場合でネットワーク側装置がコードブロックグループを再送しなくてコードブロックグループが失われることを回避し、第三の情報のビット長がＮビットであるため、無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【００１７】
一つの可能な設計では、前記端末が情報を送信することは、
前記端末が第四の情報を送信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含み、前記第四の情報が、前記Ｐビットのフィードバック情報に示される、再送する必要があるコードブロックグループ及び／又は前記Ｎビットのフィードバック情報内の、前記第三のプリセット情報の所在ビットに対応するコードブロックグループを再送するようにネットワーク側装置に指示することに用いられることを含み、
前記端末が前記Ｍ個のコードブロックグループを受信することは、
前記端末が第五のダウンリンクデータを受信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれることを含む。
【００１８】
これから分かるように、本設計では、端末とネットワーク側装置がＮ個のコードブロックグループを伝送し、端末はＰ個のコードブロックグループを受信し、復号してＰビットのフィードバック情報を取得し、端末は第四の情報を送信し、該第四の情報がＰビットのフィードバック情報に示される、再送する必要があるコードブロックグループ及び／又はＮビットのフィードバック情報内の第三のプリセット情報の所在ビットに対応するコードブロックグループを再送することに用いられ、これにより、端末が予め設定されたコードブロックグループを受信又は記憶しない場合でネットワーク側装置がコードブロックグループを再送しなくてコードブロックグループが失われることを回避し、第四の情報のビット長がＮビットであるため、無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【００１９】
第二の態様では、本発明の実施例に係るデータ再送制御方法は、
ネットワーク側装置が第一のダウンリンクデータを送信し、前記第一のダウンリンクデータが予め設定された伝送ブロックのＮ個のコードブロックグループ内のＰ個のコードブロックグループを含み、Ｐ、Ｎが正整数であり、ＰがＮ以下であることと、
前記ネットワーク側装置が情報を受信し、前記情報が、Ｍ個のコードブロックグループを再送するように前記ネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下であり、前記Ｐビットのフィードバック情報が、前記Ｐ個のコードブロックグループに対して端末によって復号操作を実行して取得され、各ビットのフィードバック情報が、対応するコードブロックが再送される必要があるか否かを示すことに用いられることとを含む。
【００２０】
これから分かるように、本発明の実施例では、端末とネットワーク側装置がＮ個のコードブロックグループを伝送し、端末はＰ個のコードブロックグループを受信し、復号してＰビットのフィードバック情報を取得し、端末は情報を送信し、該情報がＭ個のコードブロックグループを伝送することに用いられ、該Ｍ個のコードブロックグループがＮ個のコードブロックグループ内の再送する必要があるコードブロックグループを含み、これにより、端末が予め設定された伝送ブロック内のコードブロックグループを効果的に受信又は記憶しない場合でネットワーク側装置が再送しなくてコードブロックグループが失われることを回避することができ、無線通信システムのコードブロックグループの再送の柔軟性を向上させることに有利である。
【００２１】
一つの可能な設計では、前記ネットワーク側装置が情報を受信した後、前記方法はさらに、
前記ネットワーク側装置が前記Ｍ個のコードブロックグループを送信することを含む。
【００２２】
一つの可能な設計では、前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含む。
【００２３】
一つの可能な設計では、前記ネットワーク側装置が情報を受信することは、
前記ネットワーク側装置が第一の情報を受信し、前記第一の情報がＰ＋１ビットのフィードバック情報を含み、前記Ｐ＋１ビットのフィードバック情報内の第一のプリセットビットのフィードバック情報が第一のプリセット値であることを含み、
前記ネットワーク側装置が前記Ｍ個のコードブロックグループを送信することは、
前記ネットワーク側装置が第二のダウンリンクデータを送信し、前記第二のダウンリンクデータに前記Ｎ個のコードブロックグループが含まれることを含む。
【００２４】
一つの可能な設計では、前記ネットワーク側装置が情報を受信することは、
前記ネットワーク側装置が第二の情報を受信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であることを含み、
前記ネットワーク側装置が前記Ｍ個のコードブロックグループを送信することは、
前記ネットワーク側装置が第三のダウンリンクデータを送信し、前記第三のダウンリンクデータに、前記Ｐビットのフィードバック情報に示される、再送する必要があるコードブロックグループが含まれることを含む。
【００２５】
一つの可能な設計では、前記ネットワーク側装置が情報を受信することは、
前記ネットワーク側装置が第三の情報を受信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であることを含み、
前記ネットワーク側装置が前記Ｍ個のコードブロックグループを送信することは、
前記ネットワーク側装置が第四のダウンリンクデータを送信し、前記第四のダウンリンクデータに、前記取得されたＰビットのフィードバック情報に示される、再送する必要があるコードブロックグループが含まれることを含む。
【００２６】
一つの可能な設計では、前記ネットワーク側装置が情報を受信することは、
前記ネットワーク側装置が第四の情報を受信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含むことを含み、
前記ネットワーク側装置が前記Ｍ個のコードブロックグループを送信することは、
前記ネットワーク側装置が第五のダウンリンクデータを送信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれることを含む。
【００２７】
第三の態様では、本発明の実施例は、上記方法設計における端末の動作を実施する機能を備える端末を提供する。前記機能がハードウェアによって実現されてもよいし、ハードウェアによって対応するソフトウェアを実行して実現されてもよい。前記ハードウェア又はソフトウェアは上記機能に対応する一つ又は複数のモジュールを含む。
【００２８】
一つの可能な設計において、端末はプロセッサを備え、前記プロセッサが、端末が上記方法における対応する機能を実行することをサポートするように構成される。さらに、端末はさらに通信インタフェースを備えることができ、前記通信インタフェースが端末とネットワーク側装置との通信をサポートするように構成される。さらに、ネットワーク側装置はさらにメモリをさらに備えることができ、前記メモリがプロセッサと結合し、端末に必要なプログラム命令とデータを保存するように構成される。
【００２９】
第四の態様では、本発明の実施例は、上記方法設計におけるネットワーク装置の動作を実施する機能を備えるネットワーク側装置を提供する。前記機能がハードウェアによって実現されてもよいし、ハードウェアによって対応するソフトウェアを実行して実現されてもよい。前記ハードウェア又はソフトウェアは上記機能に対応する一つ又は複数のモジュールを含む。
【００３０】
一つの可能な設計において、ネットワーク側装置は、プロセッサを備え、前記プロセッサが、ネットワーク側装置が上記方法における対応する機能を実行することをサポートするように構成される。さらに、ネットワーク側装置は、さらに送受信機を備え、前記送受信機がネットワーク側装置と端末の間の通信をサポートするように構成される。さらに、ネットワーク側装置はさらにメモリをさらに備えることができ、前記メモリがプロセッサと結合し、ネットワーク側装置に必要なプログラム命令とデータを保存するように構成される。
【００３１】
第五の態様では、本発明の実施例に係る端末は、一つ又は複数のプロセッサ、メモリ、通信インタフェース及び一つ又は複数のプログラムを備え、ここで、前記一つ又は複数のプログラムが前記メモリに記憶され、前記一つ又は複数のプロセッサによって実行されるように構成され、前記プログラムが本発明の実施例の第二の態様におけるいずれかの方法のステップを実行するための命令を含む。
【００３２】
第六の態様では、本発明の実施例に係るネットワーク側装置は、一つ又は複数のプロセッサ、メモリ、送受信機及び一つ又は複数のプログラムを備え、ここで、前記一つ又は複数のプログラムが前記メモリに記憶され、前記一つ又は複数のプロセッサによって実行されるように構成され、前記プログラムが本発明の実施例の第一の態様におけるいずれかの方法のステップを実行するための命令を含む。
【００３３】
第七の態様による本発明の実施例はコンピュータ可読記憶媒体を提供し、ここで前記コンピュータ可読記憶媒体が電子データ交換のためのコンピュータプログラムを記憶し、ここで、前記コンピュータプログラムによりコンピュータが本発明の第二の態様のいずれかの方法に記載される一部又は全てのステップを実行する。
【００３４】
第八の態様による本発明の実施例はコンピュータ可読記憶媒体を提供し、ここで前記コンピュータ可読記憶媒体が電子データ交換のためのコンピュータプログラムを記憶し、ここで、前記コンピュータプログラムによりコンピュータが本発明の第一の態様のいずれかの方法に記載される一部又は全てのステップを実行する。
【００３５】
第九の態様では、本発明の実施例はコンピュータプログラム製品を提供し、ここで、前記コンピュータプログラム製品がコンピュータプログラムを記憶する非一時的コンピュータ可読記憶媒体を含み、前記コンピュータプログラムがコンピュータに本発明の実施例の第一の態様のいずれかの方法に記載される一部又は全てのステップを実行させるように動作されてもよい。該コンピュータプログラム製品は、一つのソフトウェアインストールパッケージであってもよい。
【００３６】
第十の態様では、本発明の実施例はコンピュータプログラム製品を提供し、ここで、前記コンピュータプログラム製品がコンピュータプログラムを記憶する非一時的コンピュータ可読記憶媒体を含み、前記コンピュータプログラムがコンピュータに本発明の実施例の第一の態様のいずれかの方法に記載される一部又は全てのステップを実行させるように動作されてもよい。該コンピュータプログラム製品は、一つのソフトウェアインストールパッケージであってもよい。
【発明の効果】
【００３７】
これから分かるように、本発明の実施例では、端末とネットワーク側装置がＮ個のコードブロックグループを伝送し、端末はＰ個のコードブロックグループを受信し、復号してＰビットのフィードバック情報を取得し、端末は情報を送信し、該情報がＭ個のコードブロックグループを伝送することに用いられ、該Ｍ個のコードブロックグループがＮ個のコードブロックグループ内の再送する必要があるコードブロックグループを含み、これにより、端末が予め設定された伝送ブロック内のコードブロックグループを効果的に受信又は記憶しない場合でネットワーク側装置が再送しなくてコードブロックグループが失われることを回避することができ、無線通信システムのコードブロックグループの再送の柔軟性を向上させることに有利である。
【図面の簡単な説明】
【００３８】
【図１】本発明の実施例に係る例示的な通信システムのネットワークアーキテクチャ図である。
【図２Ａ】本発明の実施例による別のデータ再送制御方法による通信を示す図である。
【図２Ｂ】本発明の実施例による別のデータ再送制御方法による通信を示す図である。
【図２Ｃ】本発明の実施例による別のデータ再送制御方法による通信を示す図である。
【図２Ｄ】本発明の実施例による別のデータ再送制御方法による通信を示す図である。
【図２Ｅ】本発明の実施例による別のデータ再送制御方法による通信を示す図である。
【図３Ａ】本発明の実施例による５Ｇ  ＮＲシナリオにおけるデータ再送制御方法を示す図である。
【図３Ｂ】本発明の実施例による別の５Ｇ  ＮＲシナリオにおけるデータ再送制御方法を示す図である。
【図３Ｃ】本発明の実施例による別の５Ｇ  ＮＲシナリオにおけるデータ再送制御方法を示す図である。
【図３Ｄ】本発明の実施例による別の５Ｇ  ＮＲシナリオにおけるデータ再送制御方法を示す図である。
【図３Ｅ】本発明の実施例による別の５Ｇ  ＮＲシナリオにおけるデータ再送制御方法を示す図である。
【図３Ｆ】本発明の実施例による別の５Ｇ  ＮＲシナリオにおけるデータ再送制御方法を示す図である。
【図４】本発明の実施例に係る端末の構造図である。
【図５】本発明の実施例に係るネットワーク側装置の構造図である。
【図６】本発明の実施例に係る端末の機能ユニットの構成ブロック図である。
【図７】本発明の実施例に係るネットワーク側装置の機能ユニットの構成ブロック図である。
【図８】本発明の実施例に係よる別の端末の構造図である。
【発明を実施するための形態】
【００３９】
以下に実施例又は従来技術の説明に必要な図面を簡単に説明する。
【００４０】
以下に図面を組み合わせながら本発明の実施例における技術的解決策を説明する。
【００４１】
図１を参照すると、図１は本発明の実施例に係る例示的な通信システムの可能なネットワークアーキテクチャである。該例示的な通信システムは４Ｇ  ＬＴＥ通信システム又は５Ｇ  ＮＲ通信システムであってもよく、具体的にネットワーク側装置と端末を備え、端末がネットワーク側装置によって提供される移動通信ネットワークにアクセスする時に、端末とネットワーク側装置が無線リンクを介して通信して接続することができ、該通信接続方式がシングル接続方式又はデュアル接続方式又はマルチ接続方式であってもよいが、通信接続方式がシングル接続方式である場合、ネットワーク側装置がＬＴＥ基地局又はＮＲ基地局（またｇＮＢ基地局とも呼ばれる）であってもよく、通信方式がデュアル接続方式であり（具体的に搬送波集約（ＣＡ）技術により実現されてもよく、又は複数のネットワーク側装置で実現されてもよい）、端末に複数のネットワーク側装置が接続される場合、該複数のネットワーク側装置がマスタ基地局（ＭＣＧ）とセカンダリ基地局（ＳＣＧ）であってもよく、基地局同士がバックホールリンク（ｂａｃｋｈａｕｌ）を介してデータバックホールを行い、マスタ基地局がＬＴＥ基地局であり、セカンダリ基地局がＬＴＥ基地局であってもよく、又は、マスタ基地局がＮＲ基地局であってもよく、セカンダリ基地局がＬＴＥ基地局であってもよく、又は、マスタ基地局がＮＲ基地局であってもよく、セカンダリ基地局がＮＲ基地局であってもよい。
【００４２】
本発明の実施例では、用語「ネットワーク」と「システム」が常に交換可能に使用され、当業者は、その意味を理解することができる。本発明の実施例に係る端末は、無線通信機能を備える様々なハンドヘルドデバイス、車載デバイス、ウェアラブルデバイス、コンピューティングデバイス又は無線モデムに接続された他の処理装置、及び様々な形態のユーザ装置（ＵＥ：Ｕｓｅｒ  Ｅｑｕｉｐｍｅｎｔ）、移動ステーション（ＭＳ：Ｍｏｂｉｌｅ  Ｓｔａｔｉｏｎ）、端末装置（ｔｅｒｍｉｎａｌ  ｄｅｖｉｃｅ）などを備えることができる。説明を容易にするために、上述した装置は端末と総称される。
【００４３】
図２Ａを参照すると、図２Ａは本発明の実施例によるデータ再送制御方法であり、該方法が以下を含む。
【００４４】
２ａ０１部分において、ネットワーク側装置は、第一のダウンリンクデータを送信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００４５】
２ａ０２部分において、端末は第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００４６】
ここで、前記コードブロックグループは、前記予め設定された伝送ブロック内の少なくとも一つのコードブロックを含む。該予め設定された伝送ブロック内のコードブロックグループの分割ポリシーは、ランダム分割ポリシー、データボリューム均等化分割ポリシー、又は特定のサービスニーズに基づく分割ポリシーなどであり、本発明の実施例では、予め設定された伝送ブロック内のコードブロックグループの分割ポリシーが戦略は一意に限定されない。
【００４７】
２ａ０３部分において、前記端末は、前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられる。
【００４８】
２ａ０４部分において、前記端末は情報を送信し、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下である。
【００４９】
２ａ０５部分において、前記ネットワーク側装置は、情報を受信し、前記情報が、Ｍ個のコードブロックグループを再送するように前記ネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下であり、前記Ｐビットのフィードバック情報が、前記Ｐ個のコードブロックグループに対して端末によって復号操作を実行して取得され、各ビットのフィードバック情報が、対応するコードブロックが再送される必要があるか否かを示すことに用いられる。
【００５０】
これから分かるように、本発明の実施例では、端末とネットワーク側装置がＮ個のコードブロックグループを伝送し、端末はＰ個のコードブロックグループを受信し、復号してＰビットのフィードバック情報を取得し、端末は情報を送信し、該情報がＭ個のコードブロックグループを伝送することに用いられ、該Ｍ個のコードブロックグループがＮ個のコードブロックグループ内の再送する必要があるコードブロックグループを含み、これにより、端末が予め設定された伝送ブロック内のコードブロックグループを効果的に受信又は記憶しない場合でネットワーク側装置が再送しなくてコードブロックグループが失われることを回避することができ、無線通信システムのコードブロックグループの再送の柔軟性を向上させることに有利である。
【００５１】
一つの可能な例では、前記ネットワーク側装置は、情報を受信した後、さらに以下の操作を実行する。前記ネットワーク側は、前記Ｍ個のコードブロックグループを送信する。
【００５２】
前記端末は情報を送信した後、以下の操作を実行する。
【００５３】
前記端末は前記Ｍ個のコードブロックグループを受信する。
【００５４】
一つの可能な例では、前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含む。
【００５５】
一つの可能な例では、図２Ａと一致し、図２Ｂを参照し、図２Ｂは本発明の実施例による別のデータ再送制御方法であり、該方法が以下を含む。
【００５６】
２ｂ０１部分において、ネットワーク側装置は、第一のダウンリンクデータを送信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００５７】
２ｂ０２部分において、端末は第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００５８】
２ｂ０３部分において、前記端末は、前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられ、
ここで、前記Ｐビットのフィードバック情報内の、再送する必要があるコードブロックグループに対応するビットのフィードバック情報が否定応答（ＮＡＣＫ）であり、再送する必要がないコードブロックグループに対応するビットのフィードバック情報が肯定応答（ＡＣＫ）である。
【００５９】
２ｂ０４部分において、前記端末は、第一の情報を送信し、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報であり、前記第一の情報が、前記Ｎ個のコードブロックグループを再送するようにネットワーク側装置に指示することに用いられる。
【００６０】
２ｂ０５部分において、前記ネットワーク側装置は、第一の情報を受信し、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報である。
【００６１】
ここで、前記第一のプリセット情報は例えば否定応答（ＮＡＣＫ）フィードバック情報であってもよい。
【００６２】
２ｂ０６部分において、前記ネットワーク側装置は第二のダウンリンクデータを送信し、前記第二のダウンリンクデータに前記Ｎ個のコードブロックグループが含まれる。
【００６３】
２ｂ０７部分において、前記端末は、第二のダウンリンクデータを受信し、前記第二のダウンリンクデータに前記Ｎ個のコードブロックグループが含まれる。
【００６４】
これから分かるように、本例では、端末とネットワーク側装置がＮ個のコードブロックグループを伝送し、端末はＰ個のコードブロックグループを受信し、復号してＰビットのフィードバック情報を取得し、端末は第一の情報を送信し、第一の情報がＮ個のコードブロックグループを再送するようにネットワーク側装置に指示することに用いられ、これにより、端末が予め設定された伝送ブロック内のコードブロックグループを効果的に受信又は記憶しない場合でネットワーク側装置がコードブロックグループを再送しなくてコードブロックグループが失われることを回避することができ、第一の情報がＰ＋１ビットのフィードバック情報を含み、Ｐ＋１ビットのフィードバック情報内の第一のプリセットビットのフィードバック情報が第一のプリセット値であり、Ｐ＋１ビットのフィードバック情報内の、第一のプリセット値以外のフィードバック情報が第一のプリセット情報であり、それによって無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【００６５】
本可能な例では、前記端末が第一の情報を送信することは、
前記端末が、前記端末のバッファの利用可能なバッファスペースが前記基準記憶スペースより小さいことを検出する時に、前記第一の情報を送信し、前記基準記憶スペースが前記Ｐビットのフィードバック情報に示される、少なくとも一つの再送する必要がないコードブロックグループのバッファスペースであることを含む。
【００６６】
これから分かるように、本例では、端末はバッファの利用可能なバッファスペースが基準記憶スペースより小さい時に第一の情報を送信し、これにより、端末にコードブロックグループを記憶するための十分なバッファスペースがない場合でネットワーク側装置が再送しなくてコードブロックグループが失われることを回避し、無線通信システムのコードブロックグループの伝送の安定性及び効率を向上させることに有利である。
【００６７】
一つの可能な例では、図２Ａと一致し、図２Ｃを参照し、図２Ｃは本発明の実施例による別のデータ再送制御方法である。該方法は以下を含む。
【００６８】
２ｃ０１部分において、ネットワーク側装置は第一のダウンリンクデータを送信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００６９】
２ｃ０２部分において、端末は第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００７０】
２ｃ０３部分において、前記端末は、前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられる。
【００７１】
２ｃ０４部分において、前記端末は第二の情報を送信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であり、前記第二の情報が、前記Ｐビットのフィードバック情報に示される、再送する必要があるコードブロックグループを再送するようにネットワーク側装置に指示することに用いられる。
【００７２】
ここで、前記Ｐビットのフィードバック情報内の、再送する必要があるコードブロックグループに対応するビットのフィードバック情報が否定応答（ＮＡＣＫ）であり、再送する必要がないコードブロックグループに対応するビットのフィードバック情報が肯定応答（ＡＣＫ）である。ここで、前記第二の情報は、前記Ｐビットのフィードバック情報内の、フィードバック情報が前記ＮＡＣＫであるビットに対応するコードブロックグループを再送するように前記ネットワーク側装置に指示することに用いられる。
【００７３】
２ｃ０５部分において、前記ネットワーク側装置は、第二の情報を受信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報である。
【００７４】
２ｃ０６部分において、前記ネットワーク側装置は第三のダウンリンクデータを送信し、前記第三のダウンリンクデータに、前記Ｐビットのフィードバック情報に示される、再送する必要があるコードブロックグループが含まれる。
【００７５】
２ｃ０７部分において、前記端末は、第三のダウンリンクデータを受信し、前記第三のダウンリンクデータに、前記Ｐビットのフィードバック情報に示される、再送する必要があるコードブロックグループが含まれる。
【００７６】
これから分かるように、本例では、端末とネットワーク側装置がＮ個のコードブロックグループを伝送し、端末はＰ個のコードブロックグループを受信し、復号してＰビットのフィードバック情報を取得し、端末は第二の情報を送信し、該第二の情報がＰビットのフィードバック情報に示される、再送する必要があるコードブロックグループを再送することに用いられ、これにより、端末が、再送する必要があるコードブロックグループを効果的に記憶しない場合でネットワーク側装置がコードブロックグループを再送しなくてコードブロックグループが失われることを回避し、第二の情報のビット長がＰ＋１ビットであるため、無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【００７７】
本可能な例では、前記端末が第二の情報を送信することは、
前記端末のバッファの利用可能なバッファスペースが前記基準記憶スペース以上であることを検出する時に、前記第二の情報を送信し、前記基準記憶スペースが前記Ｐビットのフィードバック情報に示される、少なくとも一つの再送する必要がないコードブロックグループのバッファスペースであることを含む。
【００７８】
これから分かるように、本例では、端末はバッファの利用可能なバッファスペースが基準記憶スペース以上である時に第一の情報を送信し、これにより、端末にコードブロックグループを記憶するための十分なバッファスペースがある場合でネットワーク側装置が端末によって正確に受信されたコードブロックグループを再送するために伝送リソースが浪費されることを回避し、無線通信システムのコードブロックグループの伝送の効率を向上させることに有利である。
【００７９】
一つの可能な例では、図２Ａと一致し、図２Ｄを参照し、図２Ｄは本発明の実施例による別のデータ再送制御方法であり、該方法が以下を含む。
【００８０】
２ｄ０１部分において、ネットワーク側装置は第一のダウンリンクデータを送信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００８１】
２ｄ０２部分において、端末は第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００８２】
２ｄ０３部分において、前記端末は、前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられる。
【００８３】
２ｄ０４部分において、前記端末は、第三の情報を送信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であり、前記第三の情報が、前記取得されたＰビットのフィードバック情報に示される、再送する必要があるコードブロックグループを再送するようにネットワーク側装置に指示することに用いられる。
【００８４】
ここで、前記第二のプリセット情報は例えばＡＣＫであってもよい。
【００８５】
ここで、前記Ｐビットのフィードバック情報内の、再送する必要があるコードブロックグループに対応するビットのフィードバック情報が否定応答（ＮＡＣＫ）であり、再送する必要がないコードブロックグループに対応するビットのフィードバック情報が肯定応答（ＡＣＫ）である。ここで、前記第三の情報は、前記Ｐビットのフィードバック情報内の、フィードバック情報が前記ＮＡＣＫであるビットに対応するコードブロックグループを再送するように前記ネットワーク側装置に指示することに用いられる。
【００８６】
２ｄ０５部分において、前記ネットワーク側装置は第三の情報を受信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報である。
【００８７】
２ｄ０６部分において、前記ネットワーク側装置は、第四のダウンリンクデータを送信し、前記第四のダウンリンクデータに、前記取得されたＰビットのフィードバック情報に示される、再送する必要があるコードブロックグループが含まれる。
【００８８】
２ｄ０７部分において、前記端末は、第四のダウンリンクデータを受信し、前記第四のダウンリンクデータに、前記取得されたＰビットのフィードバック情報に示される、再送する必要があるコードブロックグループが含まれる。
【００８９】
これから分かるように、本例では、端末とネットワーク側装置がＮ個のコードブロックグループを伝送し、端末はＰ個のコードブロックグループを受信し、復号してＰビットのフィードバック情報を取得し、端末は第三の情報を送信し、該第三の情報がＰビットのフィードバック情報に示される、再送する必要があるコードブロックグループを再送することに用いられ、これにより、端末が、再送する必要があるコードブロックグループを効果的に記憶しない場合でネットワーク側装置がコードブロックグループを再送しなくてコードブロックグループが失われることを回避し、第三の情報のビット長がＮビットであるため、無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【００９０】
本可能な例では、前記端末が第三の情報を送信することは、
前記端末が、前記端末のバッファの利用可能なバッファスペースが前記基準記憶スペース以上であることを検出する時に、前記第三の情報を送信し、前記基準記憶スペースが前記Ｐビットのフィードバック情報に示される、少なくとも一つの再送する必要がないコードブロックグループのバッファスペースであることを含む。
【００９１】
これから分かるように、本例では、端末はバッファの利用可能なバッファスペースが基準記憶スペース以上である時に第一の情報を送信し、これにより、端末にコードブロックグループを記憶するための十分なバッファスペースがある場合でネットワーク側装置が端末によって正確に受信されたコードブロックグループを再送するために伝送リソースが浪費されることを回避し、無線通信システムのコードブロックグループの伝送の効率を向上させることに有利である。
【００９２】
一つの可能な例では、図２Ｅと一致し、図２Ｅを参照し、図２Ｅは本発明の実施例によるデータ再送制御方法であり、該方法が以下を含む。
【００９３】
２ｅ０１部分において、ネットワーク側装置は第一のダウンリンクデータを送信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００９４】
２ｅ０２部分において、端末は第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮ以下である。
【００９５】
２ｅ０３部分において、前記端末は、前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられる。
【００９６】
２ｅ０４部分において、前記端末は、第四の情報を送信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含み、前記第四の情報が、前記Ｐビットのフィードバック情報に示される、再送する必要があるコードブロックグループ及び／又は前記Ｎビットのフィードバック情報内の、前記第三のプリセット情報の所在ビットに対応するコードブロックグループを再送するようにネットワーク側装置に指示することに用いられる。
【００９７】
ここで、前記第三のプリセット情報は否定応答情報（ＮＡＣＫ）であってもよい。
【００９８】
ここで、前記Ｐビットのフィードバック情報内の、再送する必要があるコードブロックグループに対応するビットのフィードバック情報が否定応答（ＮＡＣＫ）であり、再送する必要がないコードブロックグループに対応するビットのフィードバック情報が肯定応答（ＡＣＫ）である。
【００９９】
２ｅ０５部分において、前記ネットワーク側装置は、第四の情報を受信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含む。
【０１００】
２ｅ０６部分において、前記ネットワーク側装置は、第五のダウンリンクデータを送信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれる。
【０１０１】
２ｅ０７部分において、前記端末は、第五のダウンリンクデータを受信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれる。
【０１０２】
これから分かるように、本例では、端末とネットワーク側装置がＮ個のコードブロックグループを伝送し、端末はＰ個のコードブロックグループを受信し、復号してＰビットのフィードバック情報を取得し、端末は第四の情報を送信し、該第四の情報がＰビットのフィードバック情報に示される、再送する必要があるコードブロックグループ及び／又はＮビットのフィードバック情報内の第三のプリセット情報の所在ビットに対応するコードブロックグループを再送することに用いられ、これにより、端末が予め設定されたコードブロックグループを受信又は記憶しない場合でネットワーク側装置がコードブロックグループを再送しなくてコードブロックグループが失われることを回避し、しかも第四の情報のビット長がＮビットであるため、無線通信システムは追加のフィードバック情報を追加することなく、全てのコードブロックグループの再送をサポートするフィードバック機能を提供し、無線通信システムのコードブロックグループの再送の安定性と効率を向上させることに有利である。
【０１０３】
以下に具体的な応用シーンと組み合わせて本発明の実施例を具体的に説明する。
【０１０４】
図３Ａを参照し、ネットワーク側装置は５Ｇ  ＮＲにおける基地局ｇＮＢであり、端末は５Ｇ  ＮＲにおけるユーザ装置であり、予め設定された伝送ブロックは強化型モバイルブロードバンドサービスデータ伝送ブロックであり、該予め設定された伝送ブロックは順次それぞれＣＢＧ１、ＣＢＧ２、ＣＢＧ３、ＣＢＧ４である４つのコードブロックグループを含み、端末によって受信された第１行のデータに該２つのコードブロックグループＣＢＧ２とＣＢＧ３が含まれ、該２つのコードブロックグループに対して復号操作を実行し、ここで、ＣＢＧ２の復号が正しくなく、ＣＢＧ３の復号が正しく、２ビットのフィードバック情報｛ＮＡＣＫ、ＡＣＫ）を取得し、基準記憶スペースがＣＢＧ３のバッファスペースであり、端末のバッファの現在の利用可能なバッファスペースが基準記憶スペースより小さく、且つＰ（２）がＮ（４）より小さく、プリセットビットが第一のビットであり、第一のプリセット値が０であり、第一のプリセット情報がＮＡＣＫ（該第一のプリセット情報がプレースホルダーに用いられる）であり、図に示すように、ユーザ装置はｇＮＢへ第一の情報を送信し、第一の情報が｛０、ＮＡＣＫ（プレースホルダー）、ＮＡＣＫ（プレースホルダー）｝（第一のビットの「０」が実際に伝送されるシンボルであり、後の２つのビットの「ＮＡＣＫ」がベアラ情報であり、具体的に０又は１にマッピングされて伝送されることが注意される）であり、ｇＮＢは該第一の情報を受信した後、ユーザ装置へ第二のダウンリンクデータを送信し、該第二のダウンリンクデータがＣＢＧ１、ＣＢＧ２、ＣＢＧ３、ＣＢＧ４を含む。
【０１０５】
図３Ｂを参照し、ネットワーク側装置は５Ｇ  ＮＲにおける基地局ｇＮＢであり、端末は５Ｇ  ＮＲにおけるユーザ装置であり、予め設定された伝送ブロックは、強化型モバイルブロードバンドサービスデータ伝送ブロックであり、該予め設定された伝送ブロックは順次それぞれＣＢＧ１、ＣＢＧ２、ＣＢＧ３、ＣＢＧ４である４つのコードブロックグループを含み、端末によって受信された第１行のデータに該２つのコードブロックグループＣＢＧ２とＣＢＧ３が含まれ、該２つのコードブロックグループに対して復号操作を実行し、ここで、ＣＢＧ２の復号が正しくなく、ＣＢＧ３の復号が正しく、２ビットのフィードバック情報｛ＮＡＣＫ、ＡＣＫ）を取得し、基準記憶スペースがＣＢＧ１とＣＢＧ４のバッファスペースであり、端末のバッファの現在の利用可能なバッファスペースが基準記憶スペースより大きく、且つＰ（２）がＮ（４）より小さく、プリセットビットが第一のビットであり、第二のプリセット値が１であり、図に示すように、ユーザ装置はｇＮＢへ第二の情報を送信し、第二の情報が｛１、ＮＡＣＫ、ＡＣＫ｝（第一のビットの「１」が実際に伝送されるシンボルであり、後の２つのビットの「ＮＡＣＫ」と「ＡＣＫ」がいずれもベアラ情報であり、具体的に０又は１にマッピングされて伝送されることが注意される）であり、ｇＮＢは該第二の情報を受信した後、ユーザ装置へ第三のダウンリンクデータを送信し、該第三のダウンリンクデータがＣＢＧ２を含む。
【０１０６】
図３Ｃを参照し、ネットワーク側装置は５Ｇ  ＮＲにおける基地局ｇＮＢであり、端末は５Ｇ  ＮＲにおけるユーザ装置であり、予め設定された伝送ブロックは強化型モバイルブロードバンドサービスデータ伝送ブロックであり、該予め設定された伝送ブロックは順次それぞれＣＢＧ１、ＣＢＧ２、ＣＢＧ３、ＣＢＧ４である４つのコードブロックグループを含み、端末によって受信された第１行のデータに２つのコードブロックグループＣＢＧ１とＣＢＧ２が含まれ、該２つのコードブロックグループに対して復号操作を実行し、ここで、ＣＢＧ１の復号が正しくなく、ＣＢＧ２の復号が正しく、２ビットのフィードバック情報｛ＮＡＣＫ、ＡＣＫ｝を取得し、基準記憶スペースがＣＢＧ３とＣＢＧ４のバッファスペースであり、端末のバッファの現在の利用可能なバッファスペースが基準記憶スペースに等しく、且つＰ（２）がＮ（４）より小さく、第二のプリセット情報がＡＣＫであり（該第二のプリセット情報がプレースホルダーに用いられる）、図に示すように、ユーザ装置はｇＮＢへ第三の情報を送信し、第三の情報が｛ＮＡＣＫ、ＡＣＫ、ＡＣＫ（プレースホルダー）、ＡＣＫ（プレースホルダー）｝であり、ｇＮＢは、該第三の情報を受信した後、ユーザ装置へ第四のダウンリンクデータを送信し、該第四のダウンリンクデータがＣＢＧ１を含む。
【０１０７】
図３Ｄを参照し、ネットワーク側装置は５Ｇ  ＮＲにおける基地局ｇＮＢであり、端末は５Ｇ  ＮＲにおけるユーザ装置であり、予め設定された伝送ブロックは強化型モバイルブロードバンドサービスデータ伝送ブロックであり、該予め設定された伝送ブロックは順次それぞれＣＢＧ１、ＣＢＧ２、ＣＢＧ３、ＣＢＧ４である４つのコードブロックグループを含み、端末によって受信された第１行のデータに２つのコードブロックグループＣＢＧ１とＣＢＧ２が含まれ、該２つのコードブロックグループに対して復号操作を実行し、ここで、ＣＢＧ１の復号が正しくなく、ＣＢＧ２の復号が正しく、２ビットのフィードバック情報｛ＮＡＣＫ、ＡＣＫ｝を取得し、ユーザ装置はｇＮＢへ第四の情報を送信し、第四の情報が｛ＮＡＣＫ、ＡＣＫ、ＮＡＣＫ、ＡＣＫ｝であり、ｇＮＢは該第四の情報を受信した後、ユーザ装置へ第五のダウンリンクデータを送信し、該第五のダウンリンクデータがＣＢＧ１とＣＢＧ３を含む。
【０１０８】
図３Ｅを参照し、ネットワーク側装置は５Ｇ  ＮＲにおける基地局ｇＮＢであり、端末は５Ｇ  ＮＲにおけるユーザ装置であり、予め設定された伝送ブロックは強化型モバイルブロードバンドサービスデータ伝送ブロックであり、該予め設定された伝送ブロックは順次それぞれＣＢＧ１、ＣＢＧ４、ＣＢＧ３、ＣＢＧ４である４つのコードブロックグループを含み、端末によって受信された第１行のデータに該４つのコードブロックグループが含まれ、該４つのコードブロックグループに対して復号操作を実行し、ここで、ＣＢＧ２とＣＢＧ３の復号が正しくなく、ＣＢＧ１とＣＢＧ４の復号が正しく、４ビットのフィードバック情報｛ＡＣＫ、ＮＡＣＫ、ＮＡＣＫ、ＡＣＫ｝を取得し、基準記憶スペースがＣＢＧ１とＣＢＧ４のバッファスペースであり、端末のバッファの現在の利用可能なバッファスペースが基準記憶スペースより小さく、且つＰ＝Ｎ＝４であり、図に示すように、ユーザ装置はｇＮＢへ第五の情報を送信し、第五の情報が｛ＮＡＣＫ、ＮＡＣＫ、ＮＡＣＫ、ＮＡＣＫ｝であり、ｇＮＢは該第五の情報を受信した後、ユーザ装置へ第六のダウンリンクデータを送信し、該第六のダウンリンクデータがＣＢＧ１、ＣＢＧ２、ＣＢＧ３、ＣＢＧ４を含む。
【０１０９】
図３Ｆを参照し、ネットワーク側装置は５Ｇ  ＮＲにおける基地局ｇＮＢであり、端末は５Ｇ  ＮＲにおけるユーザ装置であり、予め設定された伝送ブロックは強化型モバイルブロードバンドサービスデータ伝送ブロックであり、該予め設定された伝送ブロックは順次それぞれＣＢＧ１、ＣＢＧ４、ＣＢＧ３、ＣＢＧ４である４つのコードブロックグループを含み、端末によって受信された第１行のデータに該４つのコードブロックグループが含まれ、該４つのコードブロックグループに対して復号操作を実行し、ここで、ＣＢＧ２とＣＢＧ３の復号が正しくなく、ＣＢＧ１とＣＢＧ４の復号が正しく、４ビットのフィードバック情報｛ＡＣＫ、ＮＡＣＫ、ＮＡＣＫ、ＡＣＫ｝を取得し、基準記憶スペースがＣＢＧ１とＣＢＧ４のバッファスペースであり、端末のバッファの現在の利用可能なバッファスペースが基準記憶スペースより大きく、且つＰ＝Ｎ＝４であり、図に示すように、ユーザ装置はｇＮＢへ第六の情報を送信し、第六の情報が｛ＡＣＫ、ＮＡＣＫ、ＮＡＣＫ、ＡＣＫ｝であり、ｇＮＢは該第六の情報を受信した後、ユーザ装置へ第七のダウンリンクデータを送信し、該第七のダウンリンクデータがＣＢＧ２とＣＢＧ３を含む。
【０１１０】
上記図２Ａ〜図２Ｅに示す実施例と一致し、図４を参照し、図４は本発明の実施例に係る端末の構造図であり、図に示すように、該端末は、一つ又は複数のプロセッサ、メモリ、通信インタフェース及び一つ又は複数のプログラムを備え、ここで、前記一つ又は複数のプログラムが前記メモリに記憶され、前記一つ又は複数のプロセッサによって実行されるように構成され、前記プログラムが以下のステップを実行するための命令を含む：
第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮより小さく、
前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられ、
情報を送信し、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下である。
【０１１１】
これから分かるように、本発明の実施例では、端末とネットワーク側装置がＮ個のコードブロックグループを伝送し、端末はＰ個のコードブロックグループを受信し、復号してＰビットのフィードバック情報を取得し、端末は情報を送信し、該情報がＭ個のコードブロックグループを伝送することに用いられ、該Ｍ個のコードブロックグループがＮ個のコードブロックグループ内の再送する必要があるコードブロックグループを含み、これにより、端末が予め設定された伝送ブロック内のコードブロックグループを効果的に受信又は記憶しない場合でネットワーク側装置が再送しなくてコードブロックグループが失われることを回避することができ、無線通信システムのコードブロックグループの再送の柔軟性を向上させることに有利である。
【０１１２】
一つの可能な例では、前記プログラムがさらに以下のステップを実行するための命令を含む：情報を送信した後、前記Ｍ個のコードブロックグループを受信する。
【０１１３】
一つの可能な例では、前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含む。
【０１１４】
一つの可能な例では、情報を送信する方面において、前記プログラムにおける命令が具体的に以下のステップを実行することに用いられる：第一の情報を送信し、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報であり、前記第一の情報が、前記Ｎ個のコードブロックグループを再送するようにネットワーク側装置に指示することに用いられ、
前記Ｍ個のコードブロックグループを受信する方面において、前記プログラムにおける命令は、以下のステップを実行することに用いられる：第二のダウンリンクデータを受信し、前記第二のダウンリンクデータに前記Ｎ個のコードブロックグループが含まれる。
【０１１５】
一つの可能な例では、情報を送信する方面において、前記プログラムにおける命令が具体的に以下のステップを実行することに用いられる：第二の情報を送信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であり、前記第二の情報が、前記Ｐビットのフィードバック情報に示される、再送する必要があるコードブロックグループを再送するようにネットワーク側装置に指示することに用いられ、
前記Ｍ個のコードブロックグループを受信する方面において、前記プログラムにおける命令は、以下のステップを実行することに用いられる：第三のダウンリンクデータを受信し、前記第三のダウンリンクデータに、前記Ｐビットのフィードバック情報に示される、再送する必要があるコードブロックグループが含まれる。
【０１１６】
一つの可能な例では、情報を送信する方面において、前記プログラムにおける命令が以下のステップを実行することに用いられる：第三の情報を送信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であり、前記第三の情報が、前記取得されたＰビットのフィードバック情報に示される、再送する必要があるコードブロックグループを再送するようにネットワーク側装置に指示することに用いられ、
前記Ｍ個のコードブロックグループを受信する方面において、前記プログラムにおける命令は、以下のステップを実行することに用いられる：第四のダウンリンクデータを受信し、前記第四のダウンリンクデータに、前記Ｐビットのフィードバック情報に示される、再送する必要があるコードブロックグループが含まれる。
【０１１７】
一つの可能な例では、情報を送信する方面において、前記プログラムにおける命令が以下のステップを実行することに用いられる：第四の情報を送信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含み、前記第四の情報が、前記Ｐビットのフィードバック情報に示される、再送する必要があるコードブロックグループ及び／又は前記Ｎビットのフィードバック情報内の、前記第三のプリセット情報の所在ビットに対応するコードブロックグループを再送するようにネットワーク側装置に指示することに用いられ、
前記Ｍ個のコードブロックグループを受信する方面において、前記プログラムにおける命令が以下のステップを実行することに用いられる：第五のダウンリンクデータを受信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれる。
【０１１８】
上記図２Ａと図２Ｄに示す実施例と一致し、図５を参照し、図５は本発明の実施例に係るネットワーク側装置の構造図であり、図に示すように、該ネットワーク側装置は、一つ又は複数のプロセッサ、メモリ、送受信機及び一つ又は複数のプログラムを備え、ここで、前記一つ又は複数のプログラムが前記メモリに記憶され、前記一つ又は複数のプロセッサによって実行されるように構成され、前記プログラムが以下のステップを実行するための命令を含む：
第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮ以下であり、
情報を受信し、前記情報が、Ｍ個のコードブロックグループを再送するように前記ネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下であり、前記Ｐビットのフィードバック情報が、前記Ｐ個のコードブロックグループに対して端末によって復号操作を実行して取得され、各ビットのフィードバック情報が、対応するコードブロックが再送される必要があるか否かを示すことに用いられる。
【０１１９】
これから分かるように、本発明の実施例では、端末とネットワーク側装置がＮ個のコードブロックグループを伝送し、端末はＰ個のコードブロックグループを受信し、復号してＰビットのフィードバック情報を取得し、端末は情報を送信し、該情報がＭ個のコードブロックグループを伝送することに用いられ、該Ｍ個のコードブロックグループがＮ個のコードブロックグループ内の再送する必要があるコードブロックグループを含み、これにより、端末が予め設定された伝送ブロック内のコードブロックグループを効果的に受信又は記憶しない場合でネットワーク側装置が再送しなくてコードブロックグループが失われることを回避することができ、無線通信システムのコードブロックグループの再送の柔軟性を向上させることに有利である。
【０１２０】
一つの可能な例では、前記プログラムがさらに以下のステップを実行するための命令を含む：情報を受信した後、前記Ｍ個のコードブロックグループを送信する。
【０１２１】
一つの可能な例では、前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含む。
【０１２２】
一つの可能な例では、情報を受信する方面において、前記プログラムにおける命令が具体的に以下のステップを実行することに用いられる：第一の情報を受信し、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報であり、
前記Ｍ個のコードブロックグループを送信する方面において、前記プログラムにおける命令は、以下のステップを実行することに用いられる：第二のダウンリンクデータを送信し、前記第二のダウンリンクデータに前記Ｎ個のコードブロックグループが含まれる。
【０１２３】
一つの可能な例では、情報を受信する方面において、前記プログラムにおける命令が具体的に以下のステップを実行することに用いられる：第二の情報を受信し、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であり、
前記Ｍ個のコードブロックグループを送信する方面において、前記プログラムにおける命令は、以下のステップを実行することに用いられる：第三のダウンリンクデータを送信し、前記第三のダウンリンクデータに、前記Ｐビットのフィードバック情報に示される、再送する必要があるコードブロックグループが含まれる。
【０１２４】
一つの可能な例では、情報を受信する方面において、前記プログラムにおける命令が以下のステップを実行することに用いられる：第三の情報を受信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であり、
前記Ｍ個のコードブロックグループを送信する方面において、前記プログラムにおける命令は、以下のステップを実行することに用いられる：第四のダウンリンクデータを送信し、前記第四のダウンリンクデータに、前記取得されたＰビットのフィードバック情報に示される、再送する必要があるコードブロックグループが含まれる。
【０１２５】
一つの可能な例では、情報を受信する方面において、前記プログラムにおける命令が以下のステップを実行することに用いられる：第四の情報を受信し、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含み、
前記Ｍ個のコードブロックグループを送信する方面において、前記プログラムにおける命令が以下のステップを実行することに用いられる：第五のダウンリンクデータを送信し、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれる。
【０１２６】
以上に各ネットワーク要素間のインタラクションの観点から本発明の実施例の解決策を説明した。端末とネットワーク側装置が上記機能を実現するために、各機能を実行するための対応するハードウェア構造及び／又はソフトウェアモジュールを備えることは理解できる。当業者は、本明細書で開示された実施例と組み合わせて説明された各例のユニット及びアルゴリズムステップが本発明でハードウェアとコンピュータソフトウェアの組み合わせで実現されてもいよいことを容易に理解するべきである。ある機能がハードウエア又はコンピュータソフトウエアで実行されるかは、技術的解決策の特定応用と設計制約条件に依存する。当業者は各特定のアプリケーションに対して異なる方法を用いて記述される機能を実現することができるが、このような実現は本発明の範囲を超えると考えられるべきではない。
【０１２７】
本発明の実施例は上記方法の例に基づいて端末とネットワーク側装置に対して機能ユニットの区分を行うことができ、例えば、各機能に対応して各機能ユニットを区分することができ、２つ以上の機能を一つの処理ユニットに統合することもできる。上記の統合されたユニットはハードウェアの形態で実現されてもよいし、ソフトウェアプログラムモジュールの形態で実現されてもよい。説明すべきものとして、本発明の実施例ではユニットに対する区分は概略的であり、論理的な機能区分に過ぎず、実際に実施する時に他の区分方式があり得る。
【０１２８】
統合されたユニットを用いる場合、図６に上記実施例に係る端末の一つの可能な機能ユニット構成ブロック図が示される。端末６００は処理ユニット６０２と通信ユニット６０３を備える。処理ユニット６０２は端末の動作を制御して管理するように構成され、例えば、処理ユニット６０２は端末が図２Ａのステップ２ａ０２−２ａ０４、図２Ｂにおけるステップ２ｂ０２−２ｂ０４、２ｂ０７、図２Ｃにおけるステップ２ｃ０２−２ｃ０４、２ｃ０７、図２Ｄにおけるステップ２ｄ０２−２ｄ０４、２ｄ０６、図２Ｅにおけるステップ２ｅ０２−２ｅ０４、２ｅ０６及び／又は本明細書に記載される技術のための他のプロセスを実行することをサポートするように構成される。通信ユニット６０３は端末と他の装置の通信、例えば図５に示されるネットワーク側装置との通信をサポートするように構成される。端末は端末のプログラムコードとデータを記憶するように構成される記憶ユニット６０１をさらに備えることができる。
【０１２９】
ここで、処理ユニット６０２は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本発明で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット６０３は送受信機、送受信回路などであってもよく、記憶ユニット６０１はメモリであってもよい。
【０１３０】
処理ユニット６０２がプロセッサであり、通信ユニット６０３が通信インタフェースであり、記憶ユニット６０１がメモリである場合、本発明の実施例に係る端末は図４に示す端末であってもよい。
【０１３１】
統合されたユニットを用いる場合、図７に上記実施例に係るネットワーク側装置の一つの可能な機能ユニット構成ブロック図が示される。ネットワーク側装置７００は処理ユニット７０２と通信ユニット７０３を備える。処理ユニット７０２はネットワーク側装置の動作を制御して管理するように構成され、例えば、処理ユニット７０２はネットワーク側装置が図２Ａのステップ２ａ０１、２ａ０５、図２Ｂの２ｂ０１、２ｂ０５、図２Ｃの２ｃ０１、２ｃ０５、図２Ｄの２ｄ０１、２ｄ０５、図２Ｅにおける２ｅ０１、２ｅ０５及び／又は本明細書に記載される技術のための他のプロセスを実行することをサポートするように構成される。通信ユニット７０３はネットワーク側装置と他の装置の通信、例えば図４に示される端末との通信をサポートするように構成される。ネットワーク側装置はさらにネットワーク側装置のプログラムコードとデータを記憶するように構成される記憶ユニット７０１をさらに備えることができる。
【０１３２】
ここで、処理ユニット７０２は、プロセッサ又はコントローラであってもよく、例えば中央プロセッサ（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ：Ｄｉｇｉｔａｌ  Ｓｉｇｎａｌ  Ｐｒｏｃｅｓｓｏｒ））、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、トランジスタ論理デバイス、ハードウェア部材又はそれらの任意の組み合わせであってもよい。それは本発明で開示された内容を組み合わせて説明された様々な例示的な論理ブロック、モジュール及び回路を実現又は実行することができる。前記プロセッサは計算機能を実現する組み合わせであってもよく、例えば一つ又は複数のマイクロプロセッサ、ＤＳＰとマイクロプロセッサの組み合わせなどを含む。通信ユニット７０３は送受信機、送受信回路、ＲＦチップなどであってもよく、記憶ユニット７０１はメモリであってもよい。
【０１３３】
処理ユニット７０２がプロセッサであり、通信ユニット７０３が通信インタフェースであり、記憶ユニット７０１がメモリである場合、本発明の実施例に係るネットワーク側装置は図５に示すネットワーク側装置であってもよい。
【０１３４】
本発明の実施例はさらに別の端末を提供し、図８に示すように、説明を容易にするために、本発明の実施例と関連する部分だけが示され、具体的な技術的詳細については、本発明の実施例の方法部分を参照する。該端末は携帯電話、タブレット型コンピュータ、ＰＤＡ（Ｐｅｒｓｏｎａｌ  Ｄｉｇｉｔａｌ  Ａｓｓｉｓｔａｎｔ：パーソナルデジタルアシスタント）、ＰＯＳ（Ｐｏｉｎｔ  ｏｆ  Ｓａｌｅｓ：販売端末）、車載型コンピュータなどを含む任意の端末装置をあってもよく、端末を例とする：
図８は本発明の実施例に係る端末と関連付けられた携帯電話の部分構造のブロック図である。図８を参照すると、携帯電話は無線周波数（ＲＦ：Ｒａｄｉｏ  Ｆｒｅｑｕｅｎｃｙ）回路９１０、メモリ９２０、入力ユニット９３０、表示ユニット９４０、センサー９５０、オーディオ回路９６０、ワイヤレスフィデリティ（ＷｉＦｉ：Ｗｉｒｅｌｅｓｓ  Ｆｉｄｅｌｉｔｙ）モジュール９７０、プロセッサ９８０、及び電源９９０などの部材を含む。当業者であれば、図８に示す携帯電話の構成が携帯電話を限定するためのものではなく、図示よりもより多い又はより少ない部材を含むことができ、又はいくつかの部品、又は異なる部材を組み合わせて配置されてもよいことを理解できる。
【０１３５】
以下に図８と組み合わせて携帯電話の各構成部材を具体的に説明する。
【０１３６】
ＲＦ回路９１０は情報の受信及び送信に用いられてもよい。通常、ＲＦ回路９１０はアンテナ、少なくとも一つの増幅器、送受信機、カプラ、低雑音増幅器（ＬＮＡ：Ｌｏｗ  Ｎｏｉｓｅ  Ａｍｐｌｉｆｉｅｒ）、デュプレクサなどを含むがこれらに限定されない。また、ＲＦ回路９１０はさらに無線通信及びネットワークを介して他の装置と通信ことができる。上記無線通信は、いずれかの通信基準又はプロトコルを用いることができ、グローバル移動体通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ：Ｇｅｎｅｒａｌ  Ｐａｃｋｅｔ  Ｒａｄｉｏ  Ｓｅｒｖｉｃｅ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ：ｉｄｅｂａｎｄ  Ｃｏｄｅ  Ｄｉｖｉｓｉｏｎ  Ｍｕｌｔｉｐｌｅ  Ａｃｃｅｓｓ）、長期進化型（ＬＴＥ：Ｌｏｎｇ  Ｔｅｒｍ  Ｅｖｏｌｕｔｉｏｎ）、電子メール、ショートメッセージングサービス（ＳＭＳ：Ｓｈｏｒｔ  Ｍｅｓｓａｇｉｎｇ  Ｓｅｒｖｉｃｅ）などを含むがこれらに限定されない。
【０１３７】
メモリ９２０はソフトウェアプログラムおよびモジュールを記憶するように構成されてもよく、プロセッサ９８０はメモリ９２０に記憶されたソフトウェアプログラム及びモジュールを動作させることにより、携帯電話の各種の機能アプリケーション及びデータ処理を実行する。メモリ９２０は主にプログラム記憶領域とデータ記憶領域を含むことができ、ここでプログラム記憶領域がオペレーティングシステム、少なくとも一つの機能に必要なアプリケーションプログラムなどを記憶することができ、データ記憶領域が携帯電話の使用に応じて作成されたデータ等を記憶することができる。また、リザーバ９２０は高速ランダムアクセスメモリを含むことができ、さらに不揮発性メモリ、例えば少なくとも一つの磁気ディスク記憶デバイス、フラッシュメモリデバイス、又は他の揮発性ソリッドステートメモリデバイスを含むことができる。
【０１３８】
入力ユニット９３０は入力された数字又は文字情報を受信し、携帯電話のユーザ設定及び機能制御に関するキー信号入力を生成するように構成されてもよい。具体的には、入力ユニット９３０は指紋識別モジュール９３１及び他の入力装置９３２を含むことができる。指紋識別モジュール９３１はその上のユーザの指紋データを収集することができる。指紋識別モジュール９３１に加えて、入力ユニット９３０はさらに他の入力装置９３２を含むことができる。具体的には、他の入力装置９３２はタッチスクリーン、物理キーボード、機能キー（例えば音量制御キー、スイッチキー等）、トラックボール、マウス、ジョイスティックなどのうちの一つ又は複数を含むことができるがこれらに限定されない。
【０１３９】
表示ユニット９４０はユーザにより入力された情報又はユーザに供給された情報及び携帯電話の様々なメニューを表示することに用いられてもよい。表示ユニット９４０はディスプレイ９４１を含むことができ、選択可能に、液晶ディスプレイ（ＬＣＤ：Ｌｉｑｕｉｄ  Ｃｒｙｓｔａｌ  Ｄｉｓｐｌａｙ）、有機発光ダイオード（ＯＬＥＤ：Ｏｒｇａｎｉｃ  Ｌｉｇｈｔ−Ｅｍｉｔｔｉｎｇ  Ｄｉｏｄｅ）などの形態でディスプレイ９４１を構成することができる。図８では、指紋識別モジュール９３１とディスプレイ９４１は二つの独立した部材として携帯電話の入力及び入力機能を実現するが、いくつかの実施例では、指紋識別モジュール９３１とディスプレイ９４１を統合して携帯電話の入力と放送機能を実現することができる。
【０１４０】
携帯電話はさらに少なくとも一つのセンサー９５０、例えば光センサー、モーションセンサ及び他のセンサーを備えることができる。具体的には、光センサーは周辺光センサー及び近接センサーを含むことができ、ここで、周辺光センサーが周辺光の明るさに応じてディスプレイ９４１の輝度を調節することができ、近接センサーが、携帯電話が耳に移動する時に、ディスプレイ９４１９４１及び／又はバックライトをオフにすることができる。モーションセンサの一種として、加速度センサーは各方向（一般的に三つの軸である）の加速度の大きさを検出でき，静止する時に重力の大きさ及び方向を検出でき、携帯電話ジェスチャーの用途（例えば水平及び垂直画面の切り替え、関連ゲーム、磁力計のジェスチャー校正）への識別、関連機能（例えば歩数計、叩き）への振動識別などに用いられてもよく、携帯電話に対してジャイロ、気圧計、湿度計、温度計、赤外線センサー等の他のセンサを配置することもでき、ここで説明を省略する。
【０１４１】
オーディオ回路９６０、スピーカ９６１、マイクロフォン９６２はユーザと携帯電話との間のオーディオインタフェースを提供することができる。オーディオ回路９６０は受信されたオーディオデータが変換された電気信号を、スピーカ９６１に伝送することができ、スピーカ９６１によって音声信号に変換して放送し、一方では、マイクロホン９６２は収集された音声信号を電気信号に変換し、オーディオ回路９６０によって受信してオーディオデータに変換し、オーディオデータをプロセッサ９８０に放送して処理した後、ＲＦ回路９１０を介して例えば別の携帯電話に送信し、又はオーディオデータをメモリ９２０に放送して処理する。
【０１４２】
ＷｉＦｉが短距離無線伝送技術に属し、携帯電話はＷｉＦｉモジュール９７０を介してユーザによる電子メールの送受信、ウェウブページへの閲覧及びストリーミングメディアへのアクセスなどに役立つことができ、それはユーザに無線広帯域インターネットアクセスを提供する。図８にＷｉＦｉモジュール９７０が示されるが、それが携帯電話の必要な構成に属せず、完全に需要に応じて発明の本質を変更しない範囲で省略されてもよいことは、理解できる。
【０１４３】
プロセッサ９８０は携帯電話の制御センターであり、様々なインタフェース又は回線を用いて携帯電話全体の各部分を接続し、メモリ９２０に記憶されたソフトウェアプログラム及び／又はモジュールを動作又は実行し、メモリ９２０に記憶されたデータを呼び出し、携帯電話の様々な機能及びデータ処理を実行することにより、携帯電話全体を監視する。選択可能に、プロセッサ９８０は一つ又は複数の処理ユニットを含むことができ、好ましくは、プロセッサ９８０はアプリケーションプロセッサとモデムプロセッサを統合すことができ、ここで、アプリケーションプロセッサが主に操作システム、ユーザインタフェースとアプリケーションプログラムなどを処理し、モデムプロセッサが主に無線通信を処理する。上記モデムプロセッサがプロセッサ９８０に集積されなくてもよいことは、理解できる。
【０１４４】
携帯電話はさらに各部品に電力を供給する電源９９０（例えば電池）を含み、好ましくは、電源は電源管理システムを介してプロセッサ９８０に論理的に接続されてもよく、これにより電源管理システムによって充電、放電の管理、及び電力消費管理などの機能を実現する。
【０１４５】
図示されないが、携帯電話はさらにカメラ、ブルートゥースモジュール等を備えることができ、ここでは説明を省略する。
【０１４６】
前記図２Ａ−図２Ｅに示す実施例では、各ステップ方法における端末側のプロセスは該携帯電話の構造に基づいて実現されてもよい。
【０１４７】
前記図４、図５に示す実施例では、各ユニットの機能は該携帯電話の構造に基づいて実現されてもよい。
【０１４８】
本発明の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例における端末で説明された一部又は全てのステップを実行する。
【０１４９】
本発明の実施例はさらにコンピュータ可読記憶媒体を提供し、ここで前記コンピュータ可読記憶媒体が電子データ交換のためのコンピュータプログラムを記憶し、ここで、前記コンピュータプログラムによりコンピュータが上記方法の実施例におけるネットワーク側装置で説明された一部又は全てのステップを実行する。
【０１５０】
本発明の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法における端末に記載される一部又は全てのステップを実行させるように動作されてもよい。該コンピュータプログラム製品は、一つのソフトウェアインストールパッケージであってもよい。
【０１５１】
本発明の実施例はさらにコンピュータプログラム製品を提供し、ここで、前記コンピュータプログラム製品がコンピュータプログラムを記憶する非一時的コンピュータ可読記憶媒体を含み、前記コンピュータプログラムがコンピュータに上記方法におけるネットワーク側装置に記載される一部又は全てのステップを実行させるように動作されてもよい。該コンピュータプログラム製品は、一つのソフトウェアインストールパッケージであってもよい。
【０１５２】
本発明の実施例で説明された方法又はアルゴリズムのステップはハードウェアで実現されてもよいし、プロセッサがソフトウェア命令を実行することで実現されてもよい。ソフトウェア命令が対応するソフトウェアモジュールで構成され、ソフトウェアモジュールはランダムアクセスメモリ（ＲＡＭ：Ｒａｎｄｏｍ  Ａｃｃｅｓｓ  Ｍｅｍｏｒｙ）、フラッシュメモリ、読み出し専用メモリ（ＲＯＭ：Ｒｅａｄ  Ｏｎｌｙ  Ｍｅｍｏｒｙ）、消去可能プログラマブルＲＯＭ（ＥＰＲＯＭ：Ｅｒａｓａｂｌｅ  Ｐｒｏｇｒａｍｍａｂｌｅ  ＲＯＭ）、電気的消去可能プログラマブル読み取り専用メモリ（ＥＥＰＲＯＭ：Ｅｌｅｃｔｒｉｃａｌｌｙ  ＥＰＲＯＭ）、レジスタ、ハードディスク、モバイルハードディスク、読み出し専用光ディスク（ＣＤ−ＲＯＭ）又は本分野の既知のいかなる他の形態の記憶媒体に記憶されてもよい。例示的な記憶媒体はプロセッサに結合され、これによりプロセッサは該記憶媒体から情報を読み取ることができ、且つ該記憶媒体に情報を書き込むことができる。当然、記憶媒体はプロセッサの構成部分であってもよい。プロセッサと記憶媒体はＡＳＩＣに位置してもよい。また、該ＡＳＩＣはアクセスネットワーク装置、ターゲットネットワーク装置又はコアネットワーク装置に位置してもよい。当然、プロセッサと記憶媒体はディスクリートコンポーネントとしてアクセスネットワーク装置、ターゲットネットワーク装置又はコアネットワーク装置に位置してもよい。
【０１５３】
当業者は、上述した一つ又は複数の例において、本発明の実施例で説明された機能が全部又は一部でソフトウェア、ハードウェア、ファームウェア又はそれらの任意の組み合わせによって実現されてもよいことを理解することができる。ソフトウェアで実行される場合、全て又は部分的にコンピュータプログラム製品の形で実施されてもよい。前記コンピュータプログラム製品は一つ又は複数のコンピュータ命令を含む。コンピュータで前記コンピュータプログラム命令をロードして実行する場合、本発明の実施例に従って説明されたプロセス又は機能を全て部分的に生成する。前記コンピュータは汎用コンピュータ、専用コンピュータ、コンピュータネットワーク、又は他のプログラマブルデバイスであってもよい。前記コンピュータ命令はコンピュータ可読記憶媒体に記憶されてもよく、又は一つのコンピュータ可読記憶媒体から別のコンピュータ可読記憶媒体に伝送されてもよく、例えば、前記コンピュータ命令は一つウェブサイト、コンピュータ、サーバ又はデータセンターから別のウェブサイト、コンピュータ、サーバ又はデータセンターに有線（例えば同軸ケーブル、光ファイバ、デジタル加入者線（ＤＳＬ：Ｄｉｇｉｔａｌ  Ｓｕｂｓｃｒｉｂｅｒ  Ｌｉｎｅ）又は無線（例えば赤外線、無線、マイクロ波など）で伝送されてもよい。前記コンピュータ可読記憶媒体はコンピュータがアクセスできるいかなる利用可能な媒体であってもよく、又は一つ又は複数の利用可能な媒体で集積されたサーバ、データセンターなどのデータ記憶装置を含む。前記利用可能な媒体は磁気媒体（例えばフロッピーディスク、ハードディスク、磁気テープ）、光学媒体（例えばデジタルビデオディスク（ＤＶＤ：Ｄｉｇｉｔａｌ  Ｖｉｄｅｏ  Ｄｉｓｃ））、又は半導体媒体（例えばソリッドステートディスク（ＳＳＤ：Ｓｏｌｉｄ  Ｓｔａｔｅ  Ｄｉｓｋ））などであってもよい。
【０１５４】
上記の具体的な実施形態では、本発明の実施例の目的、技術的解決策と有益な効果をさらに詳しく説明し、したがって、理解すべきものとして、上記は本発明の具体的な実施例の具体的な実施形態に過ぎず、本発明の実施例の保護範囲を限定するためのものではなく、本発明の実施例の技術的解決策に基づいて行われるいかなる修正、同等置き換え、改良などは、いずれも本開示の保護範囲内に含まれるべきである。
【図１】
2020522154.tif 000003
【図２Ａ】
2020522154.tif 000004
【図２Ｂ】
2020522154.tif 000005
【図２Ｃ】
2020522154.tif 000006
【図２Ｄ】
2020522154.tif 000007
【図２Ｅ】
2020522154.tif 000008
【図３Ａ】
2020522154.tif 000009
【図３Ｂ】
2020522154.tif 000010
【図３Ｃ】
2020522154.tif 000011
【図３Ｄ】
2020522154.tif 000012
【図３Ｅ】
2020522154.tif 000013
【図３Ｆ】
2020522154.tif 000014
【図４】
2020522154.tif 000015
【図５】
2020522154.tif 000016
【図６】
2020522154.tif 000017
【図７】
2020522154.tif 000018
【図８】
2020522154.tif 000019
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
データ再送制御方法であって、
端末が、第一のダウンリンクデータを受信し、前記第一のダウンリンクデータが予め設定された伝送ブロックのＮ個のコードブロックグループ内のＰ個のコードブロックグループを含み、Ｐ、Ｎが正整数であり、ＰがＮより小さいことと、
前記端末が、前記Ｐ個のコードブロックグループに対して復号操作を実行し、Ｐビットのフィードバック情報を取得し、各ビットのフィードバック情報が、対応するコードブロックグループが再送される必要があるか否かを示すことに用いられることと、
前記端末が、情報を送信し、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下であることとを含む、前記データ再送制御方法。
【請求項２】
前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含むことを特徴とする
請求項１に記載の方法。
【請求項３】
前記端末が情報を送信することは、
前記端末が、第三の情報を送信し、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であり、前記第三の情報が、前記取得されたＰビットのフィードバック情報に示される、再送する必要があるコードブロックグループを再送するようにネットワーク側装置に指示することに用いられることを含むことを特徴とする
請求項１又は２に記載の方法。
【請求項４】
前記第二のプリセット情報は、肯定応答（ＡＣＫ）であることを特徴とする請求項３に記載の方法。
【請求項５】
前記端末が前記Ｍ個のコードブロックグループを受信することは、
前記端末が、第四のダウンリンクデータを受信し、前記第四のダウンリンクデータに、前記Ｐビットのフィードバック情報に示される、再送する必要があるコードブロックグループが含まれることを含むことを特徴とする
請求項１−４のいずれか一項に記載の方法。
【請求項６】
端末であって、処理ユニットと通信ユニットを備え、
前記処理ユニットは、前記通信ユニットを介して第一のダウンリンクデータを受信するように構成され、前記第一のダウンリンクデータが予め設定された伝送ブロックのＮ個のコードブロックグループ内のＰ個のコードブロックグループを含み、Ｐ、Ｎが正整数であり、ＰがＮ以下であり、
前記処理ユニットは、さらに前記Ｐ個のコードブロックグループに対して復号操作を実行し、Ｐビットのフィードバック情報を取得するように構成され、各ビットのフィードバック情報が、対応するコードブロックグループが再送される必要があるか否かを示すことに用いられ、
前記処理ユニットは、さらに前記通信ユニットを介して情報を送信するように構成され、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下である、前記端末。
【請求項７】
前記情報を送信した後に、前記処理ユニットは、前記通信ユニットを介して前記Ｍ個のコードブロックグループを受信するようにさらに構成されることを特徴とする、
請求項６に記載の端末。
【請求項８】
前記Ｎ個のコードブロックグループ内の再送する必要があるコードブロックグループは、前記Ｐビットのフィードバック情報に示される、再送する必要があるコードブロックグループ及び／又は前記Ｎ個のコードブロックグループ内の前記Ｐ個のコードブロックグループ以外のコードブロックグループを含むことを特徴とする
請求項６又は７に記載の端末。
【請求項９】
前記処理ユニットは、前記通信ユニットを介して第一の情報を送信するように構成され、前記第一の情報がＰ＋１ビットのフィードバック情報を含み、前記Ｐ＋１ビットのフィードバック情報内の第一のプリセットビットのフィードバック情報が第一のプリセット値であり、前記Ｐ＋１ビットのフィードバック情報内の前記第一のプリセット値以外のフィードバック情報が第一のプリセット情報であり、前記第一の情報が、前記Ｎ個のコードブロックグループを再送するようにネットワーク側装置に指示することに用いられることを含み、
前記処理ユニットは、前記通信ユニットを介して第二のダウンリンクデータを受信し、前記第二のダウンリンクデータに前記Ｎ個のコードブロックグループが含まれることを含むことを特徴とする
請求項６−８のいずれか一項に記載の端末。
【請求項１０】
前記処理ユニットは、前記通信ユニットを介して、第二の情報を送信するように構成され、前記第二の情報がＰ＋１ビットのフィードバック情報を含み、前記Ｐ＋１ビットのフィードバック情報内の第二のプリセットビットのフィードバック情報が第二のプリセット値であり、前記Ｐ＋１ビットのフィードバック情報内の前記プリセットビット以外のＰビットのフィードバック情報が前記取得されたＰビットのフィードバック情報であり、前記第二の情報が、前記Ｐビットのフィードバック情報に示される、再送する必要があるコードブロックグループを再送するようにネットワーク側装置に指示することに用いられることを含み、
前記処理ユニットは、前記通信ユニットを介して、第三のダウンリンクデータを受信するように構成され、前記第三のダウンリンクデータに、前記Ｐビットのフィードバック情報に示される、再送する必要があるコードブロックグループが含まれることを含むことを特徴とする
請求項６−８のいずれか一項に記載の端末。
【請求項１１】
前記処理ユニットは、前記通信ユニットを介して、第三の情報を送信するように構成され、前記第三の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が、第二のプリセット情報であり、前記第三の情報が、前記取得されたＰビットのフィードバック情報に示される、再送する必要があるコードブロックグループを再送するようにネットワーク側装置に指示することに用いられることを含むことを特徴とする、
請求項６−８のいずれか一項に記載の端末。
【請求項１２】
前記第二のプリセット情報は、肯定応答（ＡＣＫ）であることを特徴とする請求項１１に記載の端末。
【請求項１３】
前記処理ユニットは、前記通信ユニットを介して、第四のダウンリンクデータを受信するように構成され、前記第四のダウンリンクデータに、前記Ｐビットのフィードバック情報に示される、再送する必要があるコードブロックグループが含まれることを含むことを特徴とする、
請求項６−１２のいずれか一項に記載の端末。
【請求項１４】
前記処理ユニットは、前記通信ユニットを介して、第四の情報を送信するように構成され、前記第四の情報がＮビットのフィードバック情報を含み、前記Ｎビットのフィードバック情報のビットマップ（ｂｉｔｍａｐ）対応関係が、前記予め設定された伝送ブロック内のＮ個のコードブロックグループの順序と同じであり、前記Ｎビットのフィードバック情報内の前記Ｐ個のコードブロックグループに対応するビット位置のフィードバック情報が、前記取得されたＰビットのフィードバック情報であり、前記Ｎ個のビットのフィードバック情報内の前記Ｐビットのフィードバック情報以外のフィードバック情報が第三のプリセット情報を含み、前記第四の情報が、前記Ｐビットのフィードバック情報に示される、再送する必要があるコードブロックグループ及び／又は前記Ｎビットのフィードバック情報内の、前記第三のプリセット情報の所在ビットに対応するコードブロックグループを再送するようにネットワーク側装置に指示することに用いられることを含み、
前記処理ユニットは、前記通信ユニットを介して、第五のダウンリンクデータを受信するように構成され、前記第五のダウンリンクデータに、前記Ｐビットのフィードバック情報に示される、再送する必要があるコードブロックグループ及び／又は前記Ｎビットのフィードバック情報内の前記第三のプリセット情報の所在ビットに対応するコードブロックグループが含まれることを含むことを特徴とする
請求項６−８のいずれか一項に記載の端末。
【請求項１５】
ネットワーク側装置であって、処理ユニットと通信ユニットを備え、
前記処理ユニットは、前記通信ユニットを介して第一のダウンリンクデータを送信するように構成され、前記第一のダウンリンクデータが予め設定された伝送ブロックのＮ個のコードブロックグループ内のＰ個のコードブロックグループを含み、Ｐ、Ｎが正整数であり、ＰがＮ以下であり、
前記処理ユニットは、さらに前記通信ユニットを介して情報を受信するように構成され、前記情報が、Ｍ個のコードブロックグループを再送するようにネットワーク側装置に指示することに用いられ、前記Ｍ個のコードブロックグループに、前記Ｎ個のコードブロックグループ内の再送する必要があるコードブロックグループが含まれ、Ｍが正整数であり、ＭがＮ以下である、前記ネットワーク側装置。
【国際調査報告】
2020522154.tif 000020
2020522154.tif 000021
2020522154.tif 000022
2020522154.tif 000023